(57)【要約】【課題】フリッカー、及び表示画像の焼き付き等の表示不具合を抑制すると共に、液晶のバックフローによるイオンの掃き寄せ効果を十分なものとすること。【解決手段】対向電極に印加される対向電極電位を基準として高位の電圧を正極性、低位の電圧を負極性としたときに、第１の期間と第２の期間とを含む所定の期間において、第１の期間では、正極性または負極性のうち、いずれか一方の極性の電圧である第１電圧を画素電極に供給し、第２の期間では、第１電圧とは異なる極性の第２電圧を画素電極に供給する制御回路を備え、画素において第１の期間に電気光学層に印加される電圧の大きさと、第２の期間に電気光学層に印加される電圧の大きさとが互いに異なり、かつ、所定の期間における第１の期間の長さと第２の期間との長さとが互いに異なる。【選択図】図１
2015197579.tif 000002
【特許請求の範囲】
【請求項１】
複数の走査線と複数のデータ線と、前記複数の走査線の各々と前記複数のデータ線の各
々との交点に対応して配置されたスイッチングトランジスタおよび画素電極と、前記画素
電極と対向する対向電極と、前記画素電極と前記対向電極との間に挟持された電気光学層
と、を備え、前記画素電極に対応する画素が複数個配列された表示部を有する電気光学装
置であって、
前記対向電極に印加される対向電極電位を基準として高位の電圧を正極性、低位の電圧
を負極性としたときに、第１の期間と第２の期間とを含む所定の期間において、前記第１
の期間では、前記正極性または前記負極性のうち、いずれか一方の極性の電圧である第１
電圧を前記画素電極に供給し、前記第２の期間では、前記第１電圧とは異なる極性の第２
電圧を前記画素電極に供給する制御回路を備え、
前記画素において前記第１の期間に前記電気光学層に印加される電圧の大きさと、前記
第２の期間に前記電気光学層に印加される電圧の大きさとが互いに異なり、かつ、前記所
定の期間における前記第１の期間の長さと前記第２の期間との長さとが互いに異なる、電
気光学装置。
【請求項２】
複数個配列された前記画素のうち一の前記画素において前記第１の期間に前記電気光学
層に印加される電圧の大きさと、前記第２の期間に前記電気光学層に印加される電圧の大
きさとの差が、複数個配列された前記画素のうち他の一の画素において同一の値に設定さ
れている、請求項１に記載の電気光学装置。
【請求項３】
複数個配列された前記画素のうち一の前記画素において前記第１の期間に前記電気光学
層に印加される電圧と、前記第２の期間に前記電気光学層に印加される電圧とは、前記画
素電極と前記対向電極との電気的特性の差異に起因する直流電圧成分を補正するように設
定され、
前記所定の期間における前記第１の期間の長さと、前記第２の期間との長さは、補正さ
れた前記直流電圧成分を更に補うように設定されている、請求項１又は２に記載の電気光
学装置。
【請求項４】
複数の走査線と複数のデータ線と、前記複数の走査線の各々と前記複数のデータ線の各
々との交点に対応して配置されたスイッチングトランジスタおよび画素電極と、前記画素
電極と対向する対向電極と、前記画素電極と前記対向電極との間に挟持された電気光学層
と、を備え、前記画素電極に対応する画素が複数個配列された表示部を有する電気光学装
置の駆動方法であって、
前記対向電極に印加される対向電極電位を基準として高位の電圧を正極性、低位の電圧
を負極性としたときに、第１の期間と第２の期間とを含む所定の期間において、前記第１
の期間では、前記正極性または前記負極性のうち、いずれか一方の極性の電圧である第１
電圧を前記画素電極に供給し、前記第２の期間では、前記第１電圧とは異なる極性の第２
電圧を前記画素電極に供給し、
前記画素において前記第１の期間に前記電気光学層に印加される電圧の大きさと、前記
第２の期間に前記電気光学層に印加される電圧の大きさとが互いに異なり、かつ、前記所
定の期間における前記第１の期間の長さと前記第２の期間との長さとが互いに異なる、電
気光学装置の駆動方法。
【請求項５】
複数個配列された前記画素のうち一の前記画素において前記第１の期間に前記電気光学
層に印加される電圧の大きさと、前記第２の期間に前記電気光学層に印加される電圧の大
きさとの差が、複数個配列された前記画素のうち他の一の画素において同一の値に設定さ
れている、請求項４に記載の電気光学装置の駆動方法。
【請求項６】
複数個配列された前記画素のうち一の前記画素において前記第１の期間に前記電気光学
層に印加される電圧と、前記第２の期間に前記電気光学層に印加される電圧とは、前記画
素電極と前記対向電極との電気的特性の差異に起因する直流電圧成分を補正するように設
定され、
前記所定の期間における前記第１の期間の長さと、前記第２の期間との長さは、補正さ
れた前記直流電圧成分を更に補うように設定されている、請求項４又は５に記載の電気光
学装置の駆動方法。
【請求項７】
請求項１〜３のいずれか１項に記載の電気光学装置を備えた電子機器。
【発明の詳細な説明】
【技術分野】
【０００１】
本発明は、電気光学装置、電子機器、及び電子光学装置の駆動方法に関する。
【背景技術】
【０００２】
一般的に、画素電極を薄膜トランジスタにより駆動するアクティブマトリクス型の液晶
表示においては、フリッカーや、表示画像の焼き付き等の表示不具合を防止するために、
例えば、各画素電極に印加される駆動電圧の極性を、走査線やデータ線毎、又は画像信号
におけるフレーム毎に反転させる反転駆動が採用されている。これは、反転駆動によって
液晶層へ直流電圧成分が印加されることや、基板間における電荷の偏りを防止し、フリッ
カー等の表示不具合を解消しようとするものである。しかしながら、単純に反転駆動を行
うだけでは、直流電圧成分の印加は完全には解決されず、依然として表示不具合が発生し
ている。
【０００３】
即ち、反転駆動を行ったとしても、液晶層への直流電圧成分の印加や、電荷の偏りが発
生しており、これらに対しては、対策を講ずる必要がある。また、表示不具合の発生源と
しては、２つの現象が知られている。まず、第１の現象は、所謂、フィードスルー現象で
あり、ＴＦＴ（Ｔｈｉｎ  Ｆｉｌｍ  Ｔｒａｎｓｉｓｔｏｒ）のゲート・ドレイン端子間
及びソース・ドレイン端子間の寄生容量に起因して、オンからオフ状態に切り替えるとき
に、ドレイン端子と接続された画素電極の電圧が低下してしまう現象である。具体的には
、寄生容量及び蓄積容量に蓄積された電荷が、ＴＦＴのオフのタイミングにおいて、再分
配されることによる画素電極の電圧低下現象である。第２の現象は、液晶層を挟持する素
子基板と対向基板との特性差に起因した直流電圧成分である。より詳しくは、画素電極や
ＴＦＴ等が形成された素子基板と、対向電極が形成された対向基板とにおいて、それぞれ
の電気的特性が非対称であることによって、電荷の偏りが生じるためである。
【０００４】
このような背景に関連する技術としては、様々なものが知られている（例えば、特許文
献１参照。）。
【０００５】
例えば、特許文献１には、上述した２つの現象に着目した液晶表示装置の駆動方法が記
載されている。この駆動方法においては、反転駆動における極性反転の基準となる対向電
極電位を、予め第１の現象及び第２の現象による影響を補正するようにシフトさせる。詳
しくは、初期段階において第１の現象による電圧変動分と、第２の現象による電圧変動分
とを、所定の計測条件により計測し、それらを加味した値を一定の補正電圧として、対向
電極の設定電位に加味している。
【０００６】
しかしながら、第１の現象及び第２の現象に起因する直流電圧成分を一定の補正電圧値
によって賄う特許文献１に記載の駆動方法によっては、液晶層へ直流電圧成分が印加され
てしまい、フリッカー等の表示不具合が発生してしまう。
【０００７】
また、第１の現象の補正電圧に対して第２の現象の補正電圧がある程度の大きさを持つ
場合には、対向電極電位が正負のいずれかに大きくシフトしてしまい、表示不具合の発生
要因の一つとなる。詳しくは、第２の現象に対する補正電圧が大きいと、駆動電圧の正負
における振幅差が大きくなり、そのために、フリッカー等の表示不具合が発生してしまう
。
【０００８】
このような背景に関連する技術としては、様々なものが知られている（例えば、特許文
献２参照。）。
【０００９】
例えば、特許文献２には、対向電極電位を第１の現象の補正電圧分、予めシフトした値
に設定すると共に、１フレームの期間長における第１フィールド及び第２フィールドの期
間長の割合を、指定値に応じて調整する駆動方法が記載されている。このような駆動方法
によっては、フリッカー、又は表示画像の焼き付き等の表示不具合を抑制することができ
る。
【先行技術文献】
【特許文献】
【００１０】
【特許文献１】特許第３７７１１５７号公報
【特許文献２】特開２０１０−７９１５１号公報
【発明の概要】
【発明が解決しようとする課題】
【００１１】
しかしながら、特許文献２に記載の駆動方法によっては、第１フィールド及び第２フィ
ールドにおいて、それぞれ同じ電圧が印加される。そのため、特許文献２に記載の方法に
よっては、液晶のバックフローによるイオンの掃き寄せ効果が弱い。
【課題を解決するための手段】
【００１２】
上記課題を解決するために、本発明の第１の形態によると、複数の走査線と複数のデー
タ線と、複数の走査線の各々と複数のデータ線の各々との交点に対応して配置されたスイ
ッチングトランジスタおよび画素電極と、画素電極と対向する対向電極と、画素電極と対
向電極との間に挟持された電気光学層と、を備え、画素電極に対応する画素が複数個配列
された表示部を有する電気光学装置であって、対向電極に印加される対向電極電位を基準
として高位の電圧を正極性、低位の電圧を負極性としたときに、第１の期間と第２の期間
とを含む所定の期間において、第１の期間では、正極性または負極性のうち、いずれか一
方の極性の電圧である第１電圧を画素電極に供給し、第２の期間では、第１電圧とは異な
る極性の第２電圧を画素電極に供給する制御回路を備え、画素において第１の期間に電気
光学層に印加される電圧の大きさと、第２の期間に電気光学層に印加される電圧の大きさ
とが互いに異なり、かつ、所定の期間における第１の期間の長さと第２の期間との長さと
が互いに異なる。
【００１３】
上記の構成によれば、既知の駆動方法と比べて、フリッカー、及び表示画像の焼き付き
等の表示不具合を抑制することができるだけでなく、液晶のバックフローによるイオンの
掃き寄せ効果を十分なものとすることができる。
【００１４】
上記の電気光学装置においては、複数個配列された画素のうち一の画素において第１の
期間に電気光学層に印加される電圧の大きさと、第２の期間に電気光学層に印加される電
圧の大きさとの差が、複数個配列された画素のうち他の一の画素において同一の値に設定
されているようにしてもよい。
【００１５】
上記の構成によれば、試験的に得られた一の画素電極に対応する画素の特性に基づいて
、表示部を駆動することができる。
【００１６】
上記の電気光学装置においては、複数個配列された画素のうち一の画素において第１の
期間に電気光学層に印加される電圧と、第２の期間に電気光学層に印加される電圧とは、
画素電極と対向電極との電気的特性の差異に起因する直流電圧成分を補正するように設定
され、所定の期間における第１の期間の長さと、第２の期間との長さは、補正された直流
電圧成分を更に補うように設定されているようにしてもよい。
【００１７】
上記の構成によれば、フリッカーが発生しない範囲において、液晶のバックフローによ
るイオンの掃き寄せ効果を最大限まで高めることができる。
【００１８】
本発明の第２の形態によると、複数の走査線と複数のデータ線と、複数の走査線の各々
と複数のデータ線の各々との交点に対応して配置されたスイッチングトランジスタおよび
画素電極と、画素電極と対向する対向電極と、画素電極と対向電極との間に挟持された電
気光学層と、を備え、画素電極に対応する画素が複数個配列された表示部を有する電気光
学装置の駆動方法であって、対向電極に印加される対向電極電位を基準として高位の電圧
を正極性、低位の電圧を負極性としたときに、第１の期間と第２の期間とを含む所定の期
間において、第１の期間では、正極性または負極性のうち、いずれか一方の極性の電圧で
ある第１電圧を画素電極に供給し、第２の期間では、第１電圧とは異なる極性の第２電圧
を画素電極に供給し、画素において第１の期間に電気光学層に印加される電圧の大きさと
、第２の期間に電気光学層に印加される電圧の大きさとが互いに異なり、かつ、所定の期
間における第１の期間の長さと第２の期間との長さとが互いに異なる。
【００１９】
上記の構成によれば、既知の駆動方法と比べて、フリッカー、及び表示画像の焼き付き
等の表示不具合を抑制することができるだけでなく、液晶のバックフローによるイオンの
掃き寄せ効果を十分なものとすることができる。
【００２０】
上記の電気光学装置の駆動方法においては、複数個配列された画素のうち一の画素にお
いて第１の期間に電気光学層に印加される電圧の大きさと、第２の期間に電気光学層に印
加される電圧の大きさとの差が、複数個配列された画素のうち他の一の画素において同一
の値に設定されているようにしてもよい。
【００２１】
上記の構成によれば、試験的に得られた一の画素電極に対応する画素の特性に基づいて
、表示部を駆動することができる。
【００２２】
上記の電気光学装置の駆動方法においては、複数個配列された画素のうち一の画素にお
いて第１の期間に電気光学層に印加される電圧と、第２の期間に電気光学層に印加される
電圧とは、画素電極と対向電極との電気的特性の差異に起因する直流電圧成分を補正する
ように設定され、所定の期間における第１の期間の長さと、第２の期間との長さは、補正
された直流電圧成分を更に補うように設定されているようにしてもよい。
【００２３】
上記の構成によれば、フリッカーが発生しない範囲において、液晶のバックフローによ
るイオンの掃き寄せ効果を最大限まで高めることができる。
【００２４】
本発明の第３の形態によると、電子機器であって、上記の電気光学装置を備える。
【００２５】
上記の構成によれば、既知の駆動方法と比べて、フリッカー、及び表示画像の焼き付き
等の表示不具合を抑制することができるだけでなく、液晶のバックフローによるイオンの
掃き寄せ効果を十分なものとすることができる。
【００２６】
なお、上記の発明の概要は、本発明の必要な特徴の全てを列挙したものではない。また
、これらの特徴群のサブコンビネーションもまた、発明となり得る。
【図面の簡単な説明】
【００２７】
【図１】第１の実施形態に係る電気光学装置１の概略構成の一例を示す図である。
【図２】表示パネル１０の構成の一例を示す図である。
【図３】画素の等価回路の一例を示す図である。
【図４】第２の現象に起因する補正すべき直流電圧成分ΔＶ２の時間依存性の一例を示す図である。
【図５】正極性が保持される期間の長さと、負極性が保持される期間の長さとが互いに異なるように調整する方法の一例を示す図である。
【図６】正極性が保持される期間の長さと、負極性が保持される期間の長さとが互いに異なるように調整する方法の一例を示す図である。
【図７】正極性が保持される期間の長さと、負極性が保持される期間の長さとが互いに異なるように調整する方法の一例を示す図である。
【図８】正極性が保持される期間の長さと、負極性が保持される期間の長さとが互いに異なるように調整する方法の一例を示す図である。
【図９】補正すべき直流電圧成分ΔＶ２の方向と、直流電圧成分ΔＶ２及び補正電圧Ｖｃ２の大きさの関係との組み合わせによって決まる、正極性が保持される第１フィールドの期間と、負極性が保持される第２フィールドの期間との大きさの関係の一例を示す図である。
【図１０】走査信号系のタイミングチャートの一例を示す図である。
【図１１】走査信号系のタイミングチャートの一例を示す図である。
【図１２】データ信号系の第１フィールドにおけるタイミングチャートの一例を示す図である。
【図１３】データ信号系の第２フィールドにおけるタイミングチャートの一例を示す図である。
【図１４】各行の書き込み状態を連続するフレームにわたる時間経過と共に示す図である。
【図１５】各行の書き込み状態を連続するフレームにわたる時間経過と共に示す図である。
【図１６】電気光学装置１の表示パネル１０をライトバルブとして用いた３板式プロジェクタの構成の一例を示す図である。
【発明を実施するための形態】
【００２８】
以下、発明の実施の形態を通じて本発明を説明するが、以下の実施形態は特許請求の範
囲にかかる発明を限定するものではなく、また、実施形態の中で説明されている特徴の組
み合わせの全てが発明の解決手段に必須であるとは限らない。
【００２９】
図１は、第１の実施形態に係る電気光学装置１の概略構成の一例を示す。電気光学装置
１は、電気的な入力によって光学的な出力状態を制御する装置である。
【００３０】
電気光学装置１は、表示パネル１０、処理回路５０及び電圧生成回路６０等を備える。
【００３１】
表示パネル１０は、透過式のアクティブマトリクス型の液晶パネルである。電圧生成回
路６０は、ＤＣ（Ｄｉｒｅｃｔ  Ｃｕｒｒｅｎｔ）／ＤＣコンバータ等を含んで構成され
、外部装置から供給される直流電力から、各部において使用する複数の直流電圧を生成す
る。また、電圧生成回路６０は、表示パネル１０の対向電極に印加される対向電極電位Ｃ
ｏｍを生成し、表示パネル１０に供給する。
【００３２】
処理回路５０は、データ信号Ｖｉｄの出力に合わせて表示パネル１０の動作等を制御す
る回路モジュールである。処理回路５０と表示パネル１０とは、例えば、ＦＰＣ（Ｆｌｅ
ｘｉｂｌｅ  Ｐｒｉｎｔｅｄ  Ｃｉｒｃｕｉｔ）基板によって接続されている。処理回路
５０は、制御回路５２及び表示データ処理回路５６を有する。
【００３３】
制御回路５２は、タイミング信号発生回路５３を有する。タイミング発生回路５３には
、クロック発生回路５４が付属する。クロック発生回路５４は、各部の制御動作の基準と
なるクロック信号を生成して、タイミング信号発生回路５３に出力する。タイミング信号
発生回路５３は、外部装置から供給される垂直同期信号Ｖｓ、水平同期信号Ｈｓ及びドッ
トクロック信号Ｄｃｌｋに同期して、表示パネル１０を制御するための各種の制御信号を
生成する。
【００３４】
表示データ処理回路５６には、フレームメモリ５７及びＤＡ（Ｄｉｇｉｔａｌ  ｔｏ  
Ａｎａｌｏｇ）コンバータ５８が付属する。表示データ処理回路５６は、外部装置から供
給される表示データＶｉｄｅｏを、制御回路５２による制御に従ってフレームメモリ５７
に記憶した後、表示パネル１０の駆動に同期して読み出すと共に、ＤＡコンバータ５８に
よってアナログのデータ信号Ｖｉｄに変換する。なお、表示データＶｉｄｅｏは、表示パ
ネル１０における画素の階調を規定しており、垂直同期信号Ｖｓの供給タイミングを契機
として１フレーム分供給されると共に、水平同期信号Ｈｓの供給タイミングを契機として
１行分供給される。
【００３５】
ここで、本実施形態における垂直同期信号Ｖｓは、周波数６０Ｈｚとするが、これに限
定するものではない。また、ドットクロック信号Ｄｃｌｋについては、表示データＶｉｄ
ｅｏのうち、１画素分が供給される期間を規定するものとする。即ち、制御回路５２は、
表示データＶｉｄｅｏの供給に同期して各部を制御する。
【００３６】
図２は、表示パネル１０の構成の一例を示す。表示パネル１０は、表示領域１００の周
辺に、走査線駆動回路１３０及びデータ線駆動回路１４０を備える。
【００３７】
表示領域１００には、４８０行の走査線１１２が行方向に延在するように設けられ、６
４０列のデータ線１１４が列方向に延在するように、且つ、各走査線１１２と互いに電気
的に絶縁を保つように設けられている。また、表示領域１００には、４８０行の走査線１
１２と６４０列のデータ線１１４との交差に対応して、複数の画素１１０が設けられてい
る。換言すれば、複数の画素１１０は、縦４８０行×横６４０列のマトリクス状に配列さ
れている。なお、本実施形態においては、説明を容易にするために、解像度をＶＧＡ（Ｖ
ｉｄｅｏ  Ｇｒａｐｈｉｃｓ  Ａｒｒａｙ）としているが、これに限定するものではない
。解像度は、例えば、ＸＧＡ（ｅＸｔｅｎｄｅｄ  Ｇｒａｐｈｉｃｓ  Ａｒｒａｙ）やＳ
ＸＧＡ（Ｓｕｐｅｒ−ＸＧＡ）、フルハイビジョン、４Ｋ２Ｋ等の解像度であってもよい
。
【００３８】
図３は、画素の等価回路の一例を示す。詳しくは、ｉ行、及びこれと１行下において隣
接する（ｉ＋１）行と、ｊ列、及びこれと１列右において隣接する（ｊ＋１）列との交差
に対応する２×２の計４画素分の構成を示す。なお、ｉ、（ｉ＋１）は、画素１１０が配
列する行を示しており、ここでは、１以上４８０以下の整数となる。また、ｊ、（ｊ＋１
）は、画素１１０が配列する列を示しており、ここでは、１以上６４０以下の整数となる
。
【００３９】
複数の画素１１０の各々は、ｎチャネル型のＴＦＴ１１６と、液晶容量１２０とを有す
る。ｉ行ｊ列の画素１１０におけるＴＦＴ１１６のゲート電極は、ｉ行目の走査線１１２
に接続される。そのソース電極は、ｊ列目のデータ線１１４に接続される。そのドレイン
電極は、液晶容量１２０の一端である画素電極１１８に接続されている。また、液晶容量
１２０の他端は、対向電極１０８に接続されている。この対向電極１０８は、全ての画素
１１０にわたって共通であって、時間的に一定の対向電極電位Ｃｏｍが印加される。
【００４０】
表示パネル１０は、素子基板と対向基板との一対の基板が一定の間隙を保って貼り合わ
せられると共に、この間隙に液晶が封止された構成となっている。このうち、素子基板に
は、走査線１１２や、データ線１１４、ＴＦＴ１１６及び画素電極１１８が、走査線駆動
回路１３０やデータ線駆動回路１４０と共に形成される。一方、対向基板には、対向電極
１０８が形成される。これらの電極形成面は、互いに対向するように一定の間隙を保って
貼り合わせられている。このため、液晶容量１２０は、画素電極１１８と対向電極１０８
とが液晶１０５を挟持することによって構成されている。なお、本実施形態においては、
液晶容量１２０において保持される電圧実効値がゼロに近ければ、液晶容量を通過する光
の透過率が最大となって白色表示になる一方、電圧実効値が大きくなるにつれて透過する
光量が減少して、ついには透過率が最小の黒色表示になるノーマリーホワイトモードに設
定されているものとする。
【００４１】
この構成においては、走査線１１２に選択電圧を印加し、ＴＦＴ１１６をオンさせると
共に、データ線１１４、及びオン状態のＴＦＴ１１６を介して、階調に応じた電圧のデー
タ信号を画素電極１１８に供給すると、選択電圧を印加した走査線１１２と、データ信号
を供給したデータ線１１４との交差に対応する液晶容量１２０に、階調に応じた電圧実効
値を保持させることができる。なお、走査線１１２が非選択電圧になる場合には、ＴＦＴ
１１６がオフ状態となるが、このときのオフ抵抗が理想的に無限大とはならないので、液
晶容量１２０に蓄積された電荷が少なからずリークする。このオフリークの影響を少なく
するために、各画素には、蓄積容量１０９が形成されている。この蓄積容量１０９の一端
は、画素電極１１８に接続される。一方、その他端は、全画素にわたって容量線１０７に
共通接続されている。この容量線１０７は、時間的に一定の電位、例えば、対向電極１０
８と同じ対向電極電圧Ｃｏｍに保たれている。
【００４２】
走査線駆動回路１３０は、走査信号Ｇ１、Ｇ２、Ｇ３、・・・、Ｇ４８０を、それぞれ
、１、２、３、・・・、４８０行目の走査線１１２に供給する。走査線駆動回路１３０は
、選択した走査線への走査信号を電圧Ｖｄｄに相当するＨレベルとし、それ以外の走査線
への走査信号を非選択電圧に相当するＬレベルとする。
【００４３】
データ線駆動回路１４０は、サンプリング信号出力回路１４２と、各データ線１１４に
それぞれ対応して設けられたｎチャネル型のＴＦＴ１４６とを有する。
【００４４】
第１の現象は、上述したとおり、フィードスルー現象による電圧低下である。これは、
電圧低下分に相当する直流電圧ΔＶ１を補償することにより補正できる。これに対して、
第２の現象は、画素電極基板と対向電極基板の電気的な特性差により生じる電荷の偏りで
ある。これを補償するためには、電荷の偏りを打ち消すだけの余分な電圧の印加が必要と
なる。更に、第２の現象における補正電圧は、駆動電圧との相関性がある。そのため、第
１の現象に対する補正は、第２の現象に対する補正と切り分けて補正するのが効果的であ
る。そこで、本実施形態における第１の現象の補正方法としては、駆動電圧にかかわらず
一定の補正電圧Ｖｃ１を掛ける。一方、第２の現象に対する補正方法としては、その特性
差による直流電圧成分ΔＶ２の方向及び大きさに応じて、正極性及び負極性が保持される
期間長の割合を調整する。
【００４５】
しかしながら、第２の現象に対する補正を行うにあたり、その特性差による直流電圧成
分ΔＶ２の方向及び大きさに応じて、正極性及び負極性が保持される期間長の割合を、単
に調整しただけでは、正極性が保持される期間と、負極性が保持される期間とにおいて、
それぞれ同じ電圧が液晶に印加されるため、液晶のバックフローによるイオンの掃き寄せ
効果が弱くなってしまうという第３の現象が生じる。
【００４６】
そこで、本実施形態における第３の現象に対する補正方法としては、画素電極１１８に
おいて、正極性が保持される期間に液晶１０５に印加される電圧の大きさと、負極性が保
持される期間に液晶１０５に印加される電圧の大きさとが互いに異なるように調整する。
一方、本実施形態における第２の現象に対する補正方法としては、第３の現象を補正する
ための電圧調整分を織り込んだ上で正極性が保持される期間の長さと、負極性が保持され
る期間の長さとが互いに異なるように調整する。
【００４７】
より具体的に説明すると、画素電極１１８において、正極性が保持される期間に液晶１
０５に印加される電圧の大きさと、負極性が保持される期間に液晶１０５に印加される電
圧の大きさとの差は、複数の画素電極１１８において同一の値に設定される。また、画素
電極１１８において、正極性が保持される期間に液晶１０５に印加される電圧と、負極性
が保持される期間に液晶１０５に印加される電圧とは、画素電極１１８と対向電極１０８
との電気的特性の差異に起因する直流電圧成分ΔＶ２を、部分的又は超過的に補正するよ
うな補正電圧Ｖｃ２が設定される。そして、正極性が保持される期間の長さと、負極性が
保持される期間の長さとは、電圧の差による補正の不足分又は超過分を補うように設定さ
れる。
【００４８】
ここで、液晶のバックフローによるイオンの掃き寄せ効果を十分に得るためには、正極
性が保持される期間に液晶１０５に印加される電圧の大きさと、負極性が保持される期間
に液晶１０５に印加される電圧の大きさとの差が大きい方が好ましい。しかしながら、こ
れらの電圧の差を大きくすることは、フリッカーが発生し易くなる要因となる。そこで、
本実施形態においては、正極性が保持される期間に液晶１０５に印加される補正後の電圧
の大きさと、負極性が保持される期間に液晶１０５に印加される補正後の電圧の大きさと
の差が、フリッカーが許容される限界値まで補正されるようなＶｃ２が設定される。した
がって、｜ΔＶ２｜＞｜Ｖｃ２｜の場合には、補正電圧Ｖｃ２によって、直流電圧成分Δ
Ｖ２が部分的に補正される。一方、｜ΔＶ２｜＜｜Ｖｃ２｜の場合には、補正電圧Ｖｃ２
によって、直流電圧成分ΔＶ２が超過的に補正される。
【００４９】
図４は、第２の現象に起因する補正すべき直流電圧成分ΔＶ２の時間依存性の一例を示
す。図４においては、横軸は経過時間（ｔ）を示し、縦軸は第２の現象（特性差）に起因
する補正すべき直流電圧成分ΔＶ２を示している。グラフａは、第２の現象に起因する直
流電圧成分ΔＶ２を、補正電圧Ｖｃ２により補正する前の時間依存性を示す。グラフｂは
、第２の現象に起因する直流電圧成分ΔＶ２を、補正電圧Ｖｃ２により補正した後の時間
依存性を示す。ここで、いずれのグラフにおいても、対向電極電位Ｃｏｍは、第１の現象
に対する補正電圧だけシフトした値に設定されているものとする。
【００５０】
グラフａに示すように、補正電圧Ｖｃ２により補正する前においては、表示開始時点に
おいては直流電圧成分ΔＶ２はゼロとなっているが、その後、時間経過に伴い、直流電圧
成分ΔＶ２が大きくなっている。これに対して、補正電圧Ｖｃ２により補正した後におい
ては、グラフｂに示すように、表示開始時点においては直流電圧成分ΔＶ２はゼロとなっ
ており、その後、時間経過に伴い、直流電圧成分ΔＶ２が大きくなっているものの、その
値は、グラフａに示す場合よりも小さくなっている。即ち、対向電極電位Ｃｏｍを第１の
現象の補正電圧分予めシフトすると共に、第２の現象についても、フリッカーが許容され
る限界値Ｖｃ２まで対向電極電位Ｃｏｍを更にシフトさせることにより、第１の現象及び
第２の現象による液晶層への直流電圧成分の印加が抑制されていることが分かる。
【００５１】
ここで、図４においては、フリッカーが許容される限界値Ｖｃ２まで対向電極電位Ｃｏ
ｍを更にシフトさせようとしても、直流電圧成分ΔＶ２は、画素の特性に起因する補正感
度の影響を受けた値しか補正されない場合について示している。例えば、図４に示す例に
おいては、直流電圧成分ΔＶ２の値が０．２（Ｖ）であり、フリッカーが許容される限界
値Ｖｃ２の値が０．１（Ｖ）であり、画素の特性に起因する補正感度が０．５である例を
示している。即ち、この例においては、直流電圧成分ΔＶ２＝０．２（Ｖ）に対して、フ
リッカーが許容される限界値Ｖｃ２＝０．１（Ｖ）だけ対向電極電位Ｃｏｍをシフトさせ
ているが、補正感度が０．５であるため、補正すべき直流電圧成分ΔＶ２は０．２−０．
１×０．５＝０．１５（Ｖ）までしか抑制されない。
【００５２】
このようにして、第３の現象に対しては、フリッカーが許容される限界値まで対向電極
電位Ｃｏｍをシフトさせ、正極性と負極性で液晶に印加される電圧に差を付けることで、
イオンを掃き寄せる効果を高めることができる。一方、第２の現象に対しては、未だ、０
．１５（Ｖ）分の残りの直流電圧成分ΔＶ２を補正する必要がある。
【００５３】
本実施形態における第２の現象に対する０．１５（Ｖ）分の残りの直流電圧成分ΔＶ２
の補正方法としては、上述したように、正極性が保持される期間の長さと、負極性が保持
される期間の長さとが互いに異なるように調整する。
【００５４】
本実施形態においては、複数の走査線を第１走査線群と第２走査線群とに分けて、１つ
のフレームにおいて、第１走査線群におけるいずれか１本の走査線と、第２走査線群にお
けるいずれか一本の走査線とを交互に選択すると共に、１つのフレームにおいて、各走査
線を２回ずつ選択する、所謂、倍速領域走査反転駆動を用いている。フレームとは、１枚
の画像を表示パネル１０に表示させるのに要する期間をいう。
【００５５】
また、本実施形態においては、１フレームの期間のうち、スタートパルスＤｙａが出力
されてからスタートパルスＤｙｂが出力されるまでの期間を第１フィールドとし、スター
トパルスＤｙｂが出力されてから次のスタートパルスＤｙａが出力されるまでの期間を第
２フィールドとしている。また、１つの走査線は、１フレームの期間において、フィール
ド毎に１回ずつ、即ち、２回選択されている。
【００５６】
以下の説明においては、１フレームの期間のうち、第１フィールドを正極性が保持され
る期間とし、第２フィールドを負極性が保持される期間とする。
【００５７】
図５〜図８は、正極性が保持される期間の長さと、負極性が保持される期間の長さとが
互いに異なるように調整する方法の一例を示す。図９は、補正すべき直流電圧成分ΔＶ２
の方向と、直流電圧成分ΔＶ２及び補正電圧Ｖｃ２の大きさの関係との組み合わせによっ
て決まる、正極性が保持される第１フィールドの期間と、負極性が保持される第２フィー
ルドの期間との大きさの関係の一例を示す。
【００５８】
図５は、直流電圧成分ΔＶ２の方向が負方向であって、補正電圧Ｖｃ２によって部分的
に補正される場合の、第１フィールド及び第２フィールドの期間を調整する方法を示す。
図６は、直流電圧成分ΔＶ２の方向が正方向であって、補正電圧Ｖｃ２によって超過的に
補正される場合の、第１フィールド及び第２フィールドの期間を調整する方法を示す。こ
れらの場合においては、フリッカーが許容される限界値Ｖｃ２により補正された残りの直
流電圧成分ΔＶ２を補正するために、正極性が保持される第１フィールドの期間よりも、
負極性が保持される第２フィールドの期間が長くなるように調整される。
【００５９】
図７は、直流電圧成分ΔＶ２の方向が正方向であって、補正電圧Ｖｃ２によって部分的
に補正される場合の、第１フィールド及び第２フィールドの期間を調整する方法を示す。
図８は、直流電圧成分ΔＶ２の方向が負方向であって、補正電圧Ｖｃ２によって超過的に
補正される場合の、第１フィールド及び第２フィールドの期間を調整する方法を示す。こ
れらの場合においては、フリッカーが許容される限界値Ｖｃ２により補正された残りの直
流電圧成分ΔＶ２を補正するために、正極性が保持される第１フィールドの期間よりも、
負極性が保持される第２フィールドの期間が短くなるように調整される。
【００６０】
例えば、図４に示す例の場合には、対向電極電位Ｃｏｍを３（Ｖ）ずらしたときと同じ
効果が得られるように比率を設定するので、例えば、印加電圧の基準値が５（Ｖ）であれ
ば、５．１５（Ｖ）と４．８５（Ｖ）となるようにする。したがって、第１フィールドの
期間と第２フィールドの期間との比は、５．１５：４．８５→６．２（％）になる。実際
にずらすときには、クロック単位になるので、４８０ラインであれば、第１フィールドの
期間が６．２／２＝３．１（％）分、即ち、２４０×０．０３１→７〜８ライン多くなる
ようにずらす。
【００６１】
図１０は、直流電圧成分ΔＶ２の方向が負方向であって、補正電圧Ｖｃ２によって部分
的に補正されるとき、又は直流電圧成分ΔＶ２の方向が正方向であって、補正電圧Ｖｃ２
によって超過的に補正されるときの走査信号系のタイミングチャートの一例を示す。詳し
くは、走査線駆動回路１３０により出力される走査信号Ｇ１〜Ｇ４８０を、スタートパル
スＤｙａ、Ｄｙｂとクロック信号Ｃｌｙとの関係において示す。
【００６２】
本実施形態における垂直同期信号は、上述したように周波数６０Ｈｚである。したがっ
て、１フレームの期間は、１６．７ミリ秒で固定である。制御回路５２は、クロック信号
Ｃｌｙを、１フレームの期間にわたって走査線数に等しい４８０周期分出力する。なお、
本実施形態においては、クロック信号Ｃｌｙの１周期分の期間をＨと表記している。
【００６３】
また、制御回路５２は、クロック信号Ｃｌｙの１周期分のパルス幅を有するスタートパ
ルスＤｙａ、Ｄｙｂを、それぞれクロック信号ＣｌｙがＨレベルの立ち上がり時において
、それぞれ次のように出力する。即ち、制御回路５２は、スタートパルスＤｙａを１フレ
ームの期間における第１フィールドの最初に出力する。一方、制御回路５２は、スタート
パルスＤｙａを出力してからクロック信号Ｃｌｙの２４０周期分に相当する期間、即ち、
１フレームの半分の期間が経過したタイミングＴよりも、クロック信号Ｃｌｙの周期Ｃ１
分だけ先行したタイミングＴ（−Ｃ１）でスタートパルスＤｙｂを出力する。
【００６４】
ここで、スタートパルスＤｙｂを、タイミングＴよりも先行させる周期Ｃ１の値は、直
流電圧成分ΔＶ２に対する、補正電圧Ｖｃによる補正の不足分又は超過分を補うように設
定される。例えば、直流電圧成分ΔＶ２の方向が負方向であって、補正電圧Ｖｃ２によっ
て部分的に補正される場合には、その不足分である｜ΔＶ２｜−｜Ｖｃ２｜を補うように
設定される。また、例えば、直流電圧成分ΔＶ２の方向が正方向であって、補正電圧Ｖｃ
２によって超過的に補正される場合には、その超過分である｜Ｖｃ２｜−｜ΔＶ２｜を補
うように設定される。
【００６５】
図１１は、直流電圧成分ΔＶ２の方向が正方向であって、補正電圧Ｖｃ２によって部分
的に補正されるとき、又は直流電圧成分ΔＶ２の方向が負方向であって、補正電圧Ｖｃ２
によって超過的に補正されるときの走査信号系のタイミングチャートの一例を示す。
【００６６】
この場合、制御回路５２は、タイミングＴよりもクロック信号Ｃｌｙの周期Ｃ２分だけ
遅延したタイミングＴ（＋Ｃ２）でスタートパルスＤｙｂを出力する。
【００６７】
ここで、スタートパルスＤｙｂを、タイミングＴよりも遅延させる周期Ｃ２の値は、直
流電圧成分ΔＶ２に対する、補正電圧Ｖｃによる補正の不足分又は超過分を補うように設
定される。例えば、直流電圧成分ΔＶ２の方向が正方向であって、補正電圧Ｖｃ２によっ
て部分的に補正される場合には、その不足分である｜ΔＶ２｜−｜Ｖｃ２｜を補うように
設定される。また、例えば、直流電圧成分ΔＶ２の方向が負方向であって、補正電圧Ｖｃ
２によって超過的に補正される場合には、その超過分である｜Ｖｃ２｜−｜ΔＶ２｜を補
うように設定される。
【００６８】
ここで、スタートパルスＤｙａ、Ｄｙｂは、交互に出力される。一方、スタートパルス
Ｄｙａの出力タイミングは、変更されない。このため、１フレームの１６．７ミリ秒毎に
出力されるスタートパルスＤｙａを特定すると、第２フィールドの開始を規定するスター
トパルスＤｙｂは、必然的に特定することができる。このため、図１や、図１０〜図１１
においては、スタートパルスＤｙａ、Ｄｙｂの両者を区別することなく、スタートパルス
Ｄｙとして表記している。
【００６９】
走査線駆動回路１３０は、このようなスタートパルスＤｙａ、Ｄｙｂ及びクロック信号
Ｃｌｙから、次のような走査信号Ｇ１〜Ｇ４８０を出力する。即ち、走査線駆動回路１３
０は、スタートパルスＤｙａが供給されると、クロック信号ＣｌｙがＬレベルに変化する
毎に走査信号Ｇ１〜Ｇ４８０を順次Ｈレベルとする一方、スタートパルスＤｙｂが供給さ
れると、クロック信号ＣｌｙがＨレベルに変化する毎に走査信号Ｇ１〜Ｇ４８０を順次Ｈ
レベルとする。
【００７０】
スタートパルスＤｙａは、１フレームの第１フィールドの期間の最初に供給される。し
たがって、スタートパルスＤｙａの供給を契機とする走査線の選択は、直流電圧成分ΔＶ
２が補正電圧Ｖｃ２によって補正された後の対向電極電位Ｃｏｍによって変化しない。ま
た、スタートパルスＤｙａの供給を契機とする走査線の選択は、クロック信号ＣｌｙがＬ
レベルである期間に実行されるので、第１フィールド及び第２フィールドにわたって１行
目の走査線を開始点として画面下方向に向かって２、３、４、・・・４８０行目の順番で
クロック信号Ｃｌｙの半周期の期間をおいて実行されることになる。
【００７１】
一方、スタートパルスＤｙｂは、第２フィールドの最初に供給される。したがって、ス
タートパルスＤｙｂを契機とする走査線の選択は、直流電圧成分ΔＶ２が補正電圧Ｖｃ２
によって補正された後の対向電極電位Ｃｏｍによって全体的に前後することになる。即ち
、スタートパルスＤｙｂの供給を契機とする走査線の選択は、クロック信号ＣｌｙがＨレ
ベルである期間に実行されるので、あるフレームの第２フィールドから次フレームの第１
フィールドにわたって１行目の走査線を開始点として画面下方向に向かって２、３、４、
・・・、４８０行目の順番で、スタートパルスＤｙａの供給を契機とする選択の合間にて
実行されることになる。
【００７２】
即ち、あるフレームの第２フィールドにおける１〜２４０行目の選択は、例えば、直流
電圧成分ΔＶ２の方向が負方向であって、補正電圧Ｖｃ２によって部分的に補正されると
き、又は直流電圧成分ΔＶ２の方向が正方向であって、補正電圧Ｖｃ２によって超過的に
補正されるときには、図１０に示されるようなタイミングＴよりもクロック信号Ｃｌｙの
周期Ｃ１分だけで全体的に先行し、直流電圧成分ΔＶ２の方向が正方向であって、補正電
圧Ｖｃ２によって部分的に補正されるとき、又は直流電圧成分ΔＶ２の方向が負方向であ
って、補正電圧Ｖｃ２によって超過的に補正されるときには、図１１に示されるようにタ
イミングＴよりもクロック信号Ｃｌｙの周期Ｃ２分だけで全体的に遅延した関係となる。
【００７３】
図１２は、データ信号系の第１フィールドにおけるタイミングチャートの一例を示す。
図１３は、データ信号系の第２フィールドにおけるタイミングチャートの一例を示す。デ
ータ線駆動回路１４０のサンプリング信号出力回路１４２は、制御回路５２による制御信
号Ｃｔｒｌ−ｘに従って、図１２又は図１３に示されるように、いずれかの走査線１１２
が選択されて当該走査線に供給される走査信号がＨレベルとなる期間にわたって、順次、
排他的にＨレベルとなるサンプリング信号Ｓ１、Ｓ２、Ｓ３、・・・Ｓ６４０を、データ
線１１４の各々に出力する。なお、制御信号Ｃｔｒｌ−ｘとは、実際にはスタートパルス
やクロック信号である。
【００７４】
走査信号がＨレベルとなる期間Ｈａ、Ｈｂは、実際には図１２又は図１３に示されるよ
うに、クロック信号Ｃｌｙの半分周期の期間よりも若干狭められている。また、図１２、
図１３は、直流電圧成分ΔＶ２の方向が負方向であって、補正電圧Ｖｃ２によって部分的
に補正されるとき、又は直流電圧成分ΔＶ２の方向が正方向であって、補正電圧Ｖｃ２に
よって超過的に補正されるときを示している。
【００７５】
また、表示データ処理回路５６は、選択された走査線１１２における画素１行分の表示
データＶｉｄｅｏを、サンプリング信号出力回路１４２によるサンプリング信号Ｓ１〜Ｓ
６４０の出力に合わせて次のような極性のデータ信号Ｖｉｄに変換する。即ち、表示デー
タ処理回路５６は、クロック信号ＣｌｙがＬレベルのときに選択された画素行における画
素のデータ信号Ｖｉｄを正極性に変換し、クロック信号ＣｌｙがＨレベルのときに選択さ
れた画素行における画素のデータ信号Ｖｉｄを負極性に変換する。換言すれば、表示デー
タ処理回路５６は、スタートパルスＤｙａの供給を契機として選択された画素行における
画素のデータ信号Ｖｉｄを正極性に変換し、スタートパルスＤｙｂの供給を契機として選
択された画素行における画素のデータ信号Ｖｉｄを負極性に変換する。
【００７６】
図１２、図１３に示すように、正極性及び負極性とは、基準電圧Ｖｃから高位側を正極
性とし、低位側を負極性としている。また、ここでは、基準電圧Ｖｃを０Ｖに設定してい
るが、これに限定するものではない。
【００７７】
ここで、本発明の駆動方法における特徴点の一つとしては、対向電極電位Ｃｏｍが基準
電圧Ｖｃよりも正極性又は負極性側にシフトして設定されている。これは、前述した第１
の現象のフィードスルーによる電圧変化分を補正電圧として、対向電極電位Ｃｏｍの設定
値を基準電圧Ｖｃからシフトし、上述した第３の現象に対する補正電圧として、正極性が
保持される期間に液晶１０５に印加される補正後の電圧の大きさと、負極性が保持される
期間に液晶１０５に印加される補正後の電圧の大きさとの差が、フリッカーが許容される
限界値まで補正されるようなＶｃ２を更にシフトさせているからである。なお、ここでは
、負極性側への補正となっているが、これに限定するものではなく、第１の現象及び第３
の現象による影響を低減できるように対向電極電位Ｃｏｍをシフトすればよい。
【００７８】
また、第１の現象における補正電圧Ｖｃ１、及び第３の現象における補正電圧Ｖｃ２は
、個別の表示パネル毎に計測して求めることが好ましい。具体的には、補正電圧Ｖｃ１は
、同じ階調に相当する正極性、負極性の駆動電圧を交互に印加したときに、フリッカーが
十分小さくなる対向電極電位Ｃｏｍを求め、その値と、基準電圧Ｖｃとの差から求める。
また、このときの駆動電圧は、フリッカーを視認し易い中間階調に相当する電圧が好まし
い。そして、補正電圧Ｖｃ１、Ｖｃ２は、制御回路５２又は電圧生成回路６０に設定され
る。そして、電圧生成回路６０は、補正電圧分シフトした対向電極電位Ｃｏｍを生成し、
表示パネル１０の対向電極に供給する。
【００７９】
以下の説明においては、駆動方法の全般について説明する。まず、制御回路５２は、外
部装置から供給される表示データＶｉｄｅｏを、フレームメモリ５７に記憶させた後、表
示パネル１０においてある画素行の走査線が選択されるとき、当該画素行の表示データを
記憶速度の倍の速度で読み出させる。そして、制御回路５２は、ＤＡコンバータ５８によ
りアナログのデータ信号Ｖｉｄに変換すると共に、表示データの読み出しに合わせて、サ
ンプリング信号Ｓ１〜Ｓ６４０が順番にＨレベルとなるように、制御信号Ｃｔｒｌ−ｘを
介してサンプリング信号出力回路１４２を制御する。
【００８０】
直流電圧成分ΔＶ２の方向が負方向であって、補正電圧Ｖｃ２によって部分的に補正さ
れる場合、又は直流電圧成分ΔＶ２の方向が正方向であって、補正電圧Ｖｃ２によって超
過的に補正される場合であれば、図１０に示されるように、スタートパルスＤｙｂがタイ
ミングＴよりもクロック信号Ｃｌｙの周期Ｃ１分だけ時間的に前方のタイミングで出力さ
れる。このため、第１フィールドの期間は、クロック信号Ｃｌｙの２４０−Ｃ１周期分と
なる。これに対し、第２フィールドの期間は、クロック信号Ｃｌｙの２４０＋Ｃ１周期分
となる。
【００８１】
図１４は、直流電圧成分ΔＶ２の方向が負方向であって、補正電圧Ｖｃ２によって部分
的に補正される場合、又は直流電圧成分ΔＶ２の方向が正方向であって、補正電圧Ｖｃ２
によって超過的に補正される場合において、各行の書き込み状態を連続するフレームにわ
たる時間経過と共に示す。直流電圧成分ΔＶ２の方向が負方向であって、補正電圧Ｖｃ２
によって部分的に補正される場合、又は直流電圧成分ΔＶ２の方向が正方向であって、補
正電圧Ｖｃ２によって超過的に補正される場合、スタートパルスＤｙｂの出力タイミング
が早まるので、スタートパルスＤｙｂの供給を契機とする選択により書き込まれる負極性
電圧の保持期間は、スタートパルスＤｙａの供給を契機とする選択により書き込まれる正
極性電圧の保持期間よりも長くなる。即ち、直流電圧成分ΔＶ２の方向が負方向であって
、補正電圧Ｖｃ２によって部分的に補正される場合、又は直流電圧成分ΔＶ２の方向が正
方向であって、補正電圧Ｖｃ２によって超過的に補正される場合、部分的に補正されたと
きの不足分、又は超過的に補正されたときの超過分が大きくなるにつれて、スタートパル
スＤｙｂの供給を契機とする選択により書き込まれる負極性電圧の保持期間は、スタート
パルスＤｙａの供給を契機とする選択により書き込まれる正極性電圧の保持期間よりも長
くなる。このため、この場合には、液晶容量１２０に印加される正極性電圧と負極性電圧
とのバランスが崩れ、負極性の電圧実効値が正極性の電圧実効値を上回ることになる。
【００８２】
直流電圧成分ΔＶ２の方向が正方向であって、補正電圧Ｖｃ２によって部分的に補正さ
れるとき、又は直流電圧成分ΔＶ２の方向が負方向であって、補正電圧Ｖｃ２によって超
過的に補正されるときであれば、図１１に示されるように、スタートパルスＤｙｂがタイ
ミングＴよりもクロック信号Ｃｌｙの周期Ｃ２分だけ時間的に後方のタイミングで出力さ
れる。このため、第１フィールドの期間は、クロック信号Ｃｌｙの２４０＋Ｃ１周期分と
なる。これに対し、第２フィールドの期間は、クロック信号Ｃｌｙの２４０−Ｃ１周期分
となる。
【００８３】
図１５は、直流電圧成分ΔＶ２の方向が正方向であって、補正電圧Ｖｃ２によって部分
的に補正される場合、又は直流電圧成分ΔＶ２の方向が負方向であって、補正電圧Ｖｃ２
によって超過的に補正される場合において、各行の書き込み状態を連続するフレームにわ
たる時間経過と共に示す。直流電圧成分ΔＶ２の方向が正方向であって、補正電圧Ｖｃ２
によって部分的に補正される場合、又は直流電圧成分ΔＶ２の方向が負方向であって、補
正電圧Ｖｃ２によって超過的に補正される場合、スタートパルスＤｙｂの出力タイミング
が遅くなるので、スタートパルスＤｙｂの供給を契機とする選択により書き込まれる負極
性電圧の保持期間は、スタートパルスＤｙａの供給を契機とする選択により書き込まれる
正極性電圧の保持期間よりも短くなる。即ち、直流電圧成分ΔＶ２の方向が正方向であっ
て、補正電圧Ｖｃ２によって部分的に補正される場合、又は直流電圧成分ΔＶ２の方向が
負方向であって、補正電圧Ｖｃ２によって超過的に補正される場合、部分的に補正された
ときの不足分、又は超過的に補正されたときの超過分が大きくなるにつれて、スタートパ
ルスＤｙｂの供給を契機とする選択により書き込まれる負極性電圧の保持期間は、スター
トパルスＤｙａの供給を契機とする選択により書き込まれる正極性電圧の保持期間よりも
短くなる。このため、この場合には、液晶容量１２０に印加される負極性の電圧実効値が
正極性の電圧実効値を下回ることになる。
【００８４】
上述したとおり、本実施形態に係る電気光学装置１によっては、直流電圧成分ΔＶ２の
大きさに依らず、一定の補正電圧Ｖｃ２だけシフトさせているので、液晶の印加電圧に正
負で差を付けることができ、確実にイオンの掃き寄せ効果を得られる。ここで、単に一定
電圧シフトさせると、直流電圧成分ΔＶ２の補正が不十分になったり多過ぎたりするが、
本実施形態に係る電気光学装置１によっては、これを、第１フィールドの期間と第２フィ
ールドの期間の長さで調整することで、フリッカーを生じさせずに、直流電圧成分ΔＶ２
を補正できる。
【００８５】
図１６は、電気光学装置１の表示パネル１０をライトバルブとして用いた３板式プロジ
ェクタの構成の一例を示す。プロジェクタ２１００において、ライトバルブに入射させる
ための光は、内部に配置された３枚のミラー２１０６、及び２枚のダイクロイックミラー
２１０８によってＲ（Ｒｅｄ）、Ｇ（Ｇｒｅｅｎ）、Ｂ（Ｂｌｕｅ）の３原色に分離され
て、各原色に対応するライトバルブ１００Ｒ、１００Ｇ、１００Ｂにそれぞれ導かれる。
なお、Ｂ色の光は、他のＲ色やＧ色と比較すると、光路が長いので、その損失を防ぐため
に、入射レンズ２１２２、リレーレンズ２１２３及び出射レンズ２１２４から成るリレー
レンズ系２１２１を介して導かれる。
【００８６】
ライトバルブ１００Ｒ、１００Ｇ、１００Ｂの構成は、表示パネル１０と同様であり、
外部装置から供給されるＲ、Ｇ、Ｂの各色に対応する画像データによってそれぞれ駆動さ
れる。ライトバルブ１００Ｒ、１００Ｇ、１００Ｂによってそれぞれ変調された光は、タ
イクロイックプリズム２１１２に３方向から入射する。そして、ダイクロイックプリズム
２１１２において、Ｒ色及びＧ色の光は、９０度に屈折する。一方、Ｇ色の光は、直進す
る。ダイクロイックプリズム２１１２において合成されたカラー画像を表す光は、レンズ
ユニット２１１４によって拡大投射される。このようにして、スクリーン２１２０上には
、フルカラー画像が表示される。
【００８７】
なお、ライトバルブ１００Ｒ、１００Ｂの透過像がダイクロイックプリズム２１１２に
より反射した後に投射されるのに対し、ライトバルブ１００Ｇの透過像はそのまま投射さ
れるため、ライトバルブ１００Ｒ、１００Ｂにより形成される画像と、ライトバルブ１０
０Ｇにより形成される画像とは、左右反転の関係になるように設定されている。
【００８８】
また、電子機器としては、他にも、カーナビゲーション装置、携帯電話、タッチパネル
を備えた機器、ディジタルスチルカメラ、テレビ電話、電子手帳、電卓、パーソナルコン
ピュータ、ビデオカメラのモニタ、ページャ、ＰＯＳ（Ｐｏｉｎｔ  Ｏｆ  Ｓａｌｅｓ  
ｓｙｓｔｅｍ）端末、リアプロジェクション型のテレビジョン、ワークステーション、ワ
ードプロセッサ等が挙げられる。そして、本発明に係る電気光学装置は、これらの電子機
器に対しても適用させることができる。
【００８９】
以上、本発明を実施の形態を用いて説明したが、本発明の技術的範囲は、上記実施の形
態に記載の範囲には限定されない。上記実施の形態に、多様な変更又は改良を加えること
が可能であることが当業者に明らかである。そのような変更又は改良を加えた形態も本発
明の技術的範囲に含まれ得ることが、特許請求の範囲の記載から明らかである。
【００９０】
特許請求の範囲、明細書及び図面中において示したシステム、方法、装置、プログラム
及び記録媒体における動作、手順、ステップ及び段階等の各処理の実行順序は、特段「よ
り前に」、「先立って」等と明示しておらず、また、前の処理の出力を後の処理で用いる
のでない限り、任意の順序で実現し得ることに留意すべきである。特許請求の範囲、明細
書及び図面中の動作フローに関して、便宜上「まず、」、「次に、」等を用いて説明した
としても、この順で実施することが必須であることを意味するものではない。
【符号の説明】
【００９１】
１…電気光学装置、１０…表示パネル、５０…処理回路、５２…制御回路、５６…表示デ
ータ処理回路、６０…電圧生成回路、１０８…対向電極、１１２…走査線、１１４…デー
タ線、１１６…ＴＦＴ、１１８…画素電極、１３０…走査線駆動回路、１４０…データ線
駆動回路、Ｃｏｍ…対向電極電位、Ｖｉｄ…データ信号、Ｖｓ…垂直同期信号
【図１】
2015197579.tif 000003
【図２】
2015197579.tif 000004
【図３】
2015197579.tif 000005
【図４】
2015197579.tif 000006
【図５】
2015197579.tif 000007
【図６】
2015197579.tif 000008
【図７】
2015197579.tif 000009
【図８】
2015197579.tif 000010
【図９】
2015197579.tif 000011
【図１０】
2015197579.tif 000012
【図１１】
2015197579.tif 000013
【図１２】
2015197579.tif 000014
【図１３】
2015197579.tif 000015
【図１４】
2015197579.tif 000016
【図１５】
2015197579.tif 000017
【図１６】
2015197579.tif 000018